(57)【要約】【課題】スッキリとした見栄えの良い外観の窓とする。【解決手段】周方向に連続した内枠１と外枠２を連結手段４で連結して面材嵌入溝５を有した窓枠３とし、この窓枠３の面材嵌入溝５に面材６を挿入して取付けて窓とすると共に、前記連結手段４を内枠１に取付けた内枠連結金具３０と外枠２に取付けた外枠連結金具４０を備え、その内枠連結金具３０の被係合部３２と外枠連結金具４０の係合部４２を係合して内枠１と外枠２を連結すると共に、その各連結金具が前記面材嵌入溝５内に配設されて外部から目視されるようにしてスッキリとした見栄えの良い窓とすることができるようにする。【選択図】図３
2008248492.tif 000002
【特許請求の範囲】
【請求項１】
周方向に連続した内枠と外枠が連結手段で連結され、面材嵌入溝を有する窓枠と、
前記窓枠の面材嵌入溝に嵌入して取付けた面材を有し、
前記連結手段は、内枠に取付けた被係合部を有した内枠連結金具と、外枠に取付けた係合部を有した外枠連結金具を備え、その係合部を被係合部に押しつけて係合部が弾性変形して被係合部に係合することで内枠と外枠を連結されると共に、各連結金具は前記面材嵌入溝内に配設されていることを特徴とする窓。
【請求項２】
外枠に外枠連結金具がビスで固着して取付けられ、このビスは窓枠の外周側から面材嵌入溝内に挿入したビス用工具で弛め、締め付け操作可能で、
前記外枠連結金具は、外枠を内枠に対してこじり用工具でこじることで弾性変形して外枠が内枠から離れ、その外枠と内枠との間から前記ビス用工具を面材嵌入溝に挿入できるようにした請求項１記載の窓。
【請求項３】
内枠連結金具は、室内側に取付部を有し、室外側に被係合部を有し、室内外側方向の中間に支持部を有し、
外枠連結金具は、室外側に取付部を有し、室内側に係合部を有し、
この係合部が被係合部に係合し、前記支持部が内枠の内周面に接することで内枠連結金具を支持するようにした請求項２記載の窓。
【請求項４】
内枠連結金具に面材押えをビスで取付け、
この面材押えと内枠とで面材を支持するようにした請求項１〜３いずれか１項記載の窓。
【発明の詳細な説明】
【技術分野】
【０００１】
本発明は、主として、建物の外壁に採光やデザイン等のために取付ける丸窓、矩形窓、三角形窓などの窓に関する。
【背景技術】
【０００２】
特許文献１に開示された丸窓が提案されている。
この丸窓は、建物に取付けるリング状の取付枠と、ガラス取付用のリング状の枠体と、この枠体に装着したガラスを備え、前記枠体を取付枠に嵌合すると共に、固着具で固着している。
【特許文献１】特開２００４−３１９４号公報
【発明の開示】
【発明が解決しようとする課題】
【０００３】
前述した従来の丸窓は、枠体を取付枠に固着する固着具が室外側から目視されるから、外観の見栄えが悪い。
【０００４】
本発明の目的は、スッキリとした見栄えの良い外観の窓を提供することである。
【課題を解決するための手段】
【０００５】
本発明は、周方向に連続した内枠と外枠が連結手段で連結され、面材嵌入溝を有する窓枠と、
前記窓枠の面材嵌入溝に嵌入して取付けた面材を有し、
前記連結手段は、内枠に取付けた被係合部を有した内枠連結金具と、外枠に取付けた係合部を有した外枠連結金具を備え、その係合部を被係合部に押しつけて係合部が弾性変形して被係合部に係合することで内枠と外枠を連結されると共に、各連結金具は前記面材嵌入溝内に配設されていることを特徴とする窓である。
【０００６】
本発明においては、外枠に外枠連結金具がビスで固着して取付けられ、このビスは窓枠の外周側から面材嵌入溝内に挿入したビス用工具で弛め、締め付け操作可能で、
前記外枠連結金具は、外枠を内枠に対してこじり用工具でこじることで弾性変形して外枠が内枠から離れ、その外枠と内枠との間から前記ビス用工具を面材嵌入溝に挿入できるように構成できる。
このようにすれば、こじり用工具で外枠をこじりながら、ビス用工具を面材嵌入溝に挿入してビスを弛めて外枠連結金具を外枠から取り外しできるので、外枠を内枠から取り外しできる。
【０００７】
本発明においては、内枠連結金具は、室内側に取付部を有し、室外側に被係合部を有し、室内外側方向の中間に支持部を有し、
外枠連結金具は、室外側に取付部を有し、室内側に係合部を有し、
この係合部が被係合部に係合し、前記支持部が内枠の内周面に接することで内枠連結金具を支持するようにできる。
このようにすれば、外枠をこじって外枠連結金具を内周側に弾性変形した時に、その反力で内枠連結金具が破損することを支持部で防止できる。
【０００８】
本発明においては、内枠連結金具に面材押えをビスで取付け、この面材押えと内枠とで面材を支持するようにできる。
このようにすれば、外枠を取り外しすると共に、面材押えを取り外しすることで面材を取り外しできるので、面材を室外側から交換できる。
【発明の効果】
【０００９】
本発明によれば、外枠を内枠に向けて移動して係合部を被係合部に押しつけることで係合部が被係合部に係合して外枠を内枠に取付けできる。
しかも、前記連結手段は内枠と外枠との間の面材嵌入溝に配設され、外部から目視されないので、スッキリとした見栄えの良い窓とすることができる。
【発明を実施するための最良の形態】
【００１０】
図１と図２に示すように、内枠１と外枠２で窓枠３としてある。
前記内枠１と外枠２は周方向に連続したリング状で、連結手段４によって連結されて環状の面材嵌入溝５を有する窓枠３としてある。
前記窓枠３の面材嵌入溝５に面材６の周縁部が嵌入され、室内側シール材７と室外側シール材８でシールし、窓としてある。
前記連結手段４は面材嵌入溝５内に、周方向に間隔を置いて複数配設され、この連結手段４は室外から目視されない。
前記窓枠３の内枠１が建物躯体９の開口部９ａの周縁に固着して取付けられる。
このようであるから、窓を室外側から見た時に外枠２、内枠１と室外側シール材８の一部分が見えるだけで、スッキリとした見栄えの良い外観の窓となる。
【００１１】
次に各部材の具体形状の一例を説明する。
前記内枠１は、リング形状の室内側縦板１０と、この室内側縦板１０の外周側に室外側に向けて一体的に設けた筒状体１１と、前記室内側縦板１０の内周側に室内側に向けて一体的に設けた筒状の取付フランジ１２と、前記室内側縦板１０の外周側に一体的に設けた取付プレート１３を備えている。
前記筒状体１１の室外側端面にシール材１４が装着してある。
前記外枠２は、外周側プレート２０と内周側プレート２１で断面く字状のリング形状で、その外周側プレート２０の室内側面２０ａの外周寄りが前記シール材１４に接し、内周側プレート２１の室内側内周端部２１ａが前記室外側シール材８に接している。
前記室内側縦板１０と筒状体１１と外周側プレート２０と内周側プレート２１で内周側に開口した面材嵌入溝５としてある。
前記面材６はガラスとしてある。
【００１２】
前記内枠１の取付フランジ１２を建物躯体９の開口部９ａに挿入すると共に、取付プレート１３を建物躯体９の室外側面９ｂに接し、固着具、例えばねじ１５で固着して取付けられる。
前記建物躯体９の開口部９ａには筒状の額縁１６が室内側から挿入され、この額縁１６が前記取付フランジ１２に嵌合している。
これによって、室内側からの見栄えを良くしている。
なお、前記取付フランジ１２と額縁１６との間はシーラーで水密してある。
【００１３】
次に、前記連結手段４について説明する。
前記連結手段４は内枠１に取付けた内枠連結金具３０と外枠２に取付けた外枠連結金具４０を備えている。
前記内枠連結金具３０は取付部３１と被係合部３２を有し、その取付部３１が内枠１に固着具、例えばビス３３で固着して取付けてある。
前記外枠連結金具４０は取付部４１と係合部４２を有し、その取付部４１が外枠２にビス４３で固着して取付けてある。
前記係合部４２は被係合部３２に押しつけられることで弾性変形し、その係合部４２が被係合部３２に係合するようにしてある。
このようであるから、内枠１に外枠２を押し込むようにすることで内枠１と外枠２を連結でき、その連結作業が容易である。
【００１４】
前記ビス４３は窓枠３の外周側から中心に向けて螺合され、外周側から面材嵌入溝５内に挿入したビス用工具で締め付け、弛め操作できるようにしてある。
前記内枠１と外枠２との間にこじり用工具を入れてこじることで、前記外枠連結金具４０が弾性変形して外枠２が内枠１から離れ、その内枠１と外枠２との間から前述のビス用工具を面材嵌入溝５内に挿入できるようにしてある。
このようであるから、こじり用工具で外枠２をこじりながら、ビス用工具を面材嵌入溝５内に挿入してビス４３を弛め操作することで、外枠連結金具４０を外枠２から取り外しすることで、外枠２を内枠１から取り外すことができる。
なお、前述のように外枠２をこじる場合には室外側シール材８を取り外しすることで、外枠２を容易にこじり易くなる。
【００１５】
例えば、外枠２の外周側プレート２０の内側面２０ａには室内側に向かう横片２２が設けられ、その横片２２の内周側の面に外枠連結金具４０の取付部４１を接し、前記横片２２の透孔２３からビス４３を挿通して外枠連結金具４０の取付部４１に形成したねじ孔４４に螺合して固着する。
このようにして外枠連結金具４０を固着することで、外枠２が樹脂製である場合に、外枠連結金具４０のねじ孔４４にビス４３が螺合するから、ビス４３が弛みにくく、強固に取付けできる。
これに対して、横片２２の外周側の面に外枠連結金具４０を接した場合には、横片２２にねじ孔を形成し、外枠連結金具４０の透孔からビス４３をねじ孔に螺合することになるので、ビス４３が弛み易く、外枠連結金具４０が外れ易い。
前記ビス４３の頭部４３ａ（締め付け、弛め操作部分）は、前記横片２２の外周側の面よりも外周側に位置し、内枠１の筒状体１１と外枠２の外周側プレート２０との間から挿入した工具で締め付け、弛め操作できるようにしてある。
【００１６】
前記内枠連結金具３０には支持部、例えば支持突片３４が設けてある。
この支持突片３４は前述のように外枠２をこじった時に内枠１の内周面（筒状体１１の内周面１１ａ）１ａに当接し、内枠連結金具３０の弾性変形を規制して内枠連結金具３０が破損しないようにする。
要するに、前述のように外枠２をこじると、外枠連結金具４０は、内枠連結金具３０の被係合部３２と係合部４２の係合している部分を支点として内周側に向けて弾性変形するので、その反力として内枠連結部材３０には外周側に向かう力が作用し、その力で破損することがあるから、前述の支持突片３４を設け、その支持突片３４を内枠１の内周面１ａに当接して破損しないようにしている。
前記内枠１の内周面１ａは、支持突片３４と対向した部分にのみ厚肉としてある。
【００１７】
前記外枠２の外周側プレート２０の外周縁に設けた内向きリブ２４の下端部を不連続にする（もしくは、下端部における内向リブ２４の突出寸法を他の箇所に比べて短くする）と共に、内枠１と外枠２との間を水密するシール材１４の下端部を不連続として排水口（図示せず）が形成してあり、この排水口にこじり用工具Ｄを挿入して外枠２をこじることができるようにしてある。
【００１８】
前記内枠連結金具３０には面材押え５０がビス５１で固着して取付けてある。つまり、内枠連結金具３０は面材押え取付部３５を有し、そのねじ孔３６にビス５１を螺合して取付けてある。
この面材押え５０と内枠１（室内側縦板１０に装着した室内側シール材７）で面材６を室内外側方向に支持する。
前記面材６の面外方向は、内枠連結金具３０に設けたスペーサ５２で支持される。
【００１９】
このようであるから、前述のように外枠２を取り外した状態で面材６は内枠１に支持されているので、外枠２を取り外した後にビス５１を弛めて面材押え５０を取り外すことによって面材６を取り外しできる。
したがって、図２に示すように窓枠３を建物躯体９に取付けた状態で、室外側から面材６を交換できる。
【００２０】
この実施の形態では、前記面材押え５０は緩衝材５３を介して面材６に接しているので、面材６を損傷することがない。
また、内枠連結金具３０に面材押え５０を取付けたので、その面材押え５０は各連結手段４の内枠連結金具３０にそれぞれ取付けたピース形状にできるし、各連結手段４の内枠連結金具３０に亘って取付けたリング状とすることもできる。
【００２１】
前記内枠連結金具３０は図５に示すように、１枚の板材を、室内側縦片３０ａと中間横板３０ｂと中間縦片３０ｃと室外側鉤形片３０ｄを有する形状に折り曲げ加工し、その室内側縦片３０ａと中間縦片３０ｃの一部分をバーリング加工して筒状のねじ孔３７，３６として取付部３１、面材押え取付部３５とすると共に、室外側鉤形片３０ｄを被係合部３２とする。なお、ねじ孔３７，３８はバーリング加工に限らず、バーリング加工以外の種々の方法にて設ければ良い。
前記中間縦板３０ｃの両側下部分を室内側縦片３０ａに向けて切り起こして支持突片３４とする。
前記中間縦板３０ｃの中央上部分を上向きに切り起こしてスペーサ支持片３８とし、スペーサ５２を、このスペーサ支持片３８と室内側縦片３０ａに接するようにする。
【００２２】
前記外枠連結金具４０は図５に示すように、１枚の板材を折り曲げ加工して、室外側横板４０ａと室内側鉤形板４０ｂを有する形状で、その室外側横板４０ａの一部分をバーリング加工して筒状のねじ孔４４として取付部４１とし、室内側鉤形片４０ｂを係合部４２としてある。このねじ孔４４も前述と同様にバーリング加工以外の種々の方法にて設けることができる。
前記室外側横板４０ａの室外側端部は上向きに折り曲げして折曲片４５としてある。
この折曲片４５が、図４に示すように、前記横片２２の上面と一対の鉤片２５で構成された凹陥部２６内に押し込められ、外枠連結金具４０の取付部４１を外枠２に支持している。
このようであるから、外枠連結金具４０の取付部４１を外枠２に支持して仮取付けし、ビス４３を透孔２３からねじ孔４４に螺合して取付けでき、外枠連結金具４０を外枠２に簡単に取付けできる。
【００２３】
次に、窓の組立順序を説明する。
図６に示すように、内枠連結金具３０の取付部３１を内枠１の室内側縦板１０に接し、その透孔１７からビス３３をねじ孔３７に螺合して取付部３１を固着して取付ける。
前記ビス３３の頭部と室内側縦板１０の室内側面との間にシーリング材、例えばＯリング１８が介在されて水密してある。
そして、内枠連結金具３０の中間横板３０ｂにスペーサ５２を接着して取付ける。
この後に、面材６をスペーサ５２に接するように設ける。
【００２４】
図７に示すように、面材押え５０の透孔５０ａからビス５１を内枠連結金具３０の面材押え取付部３５のねじ孔３６に螺合して面材押え５０を取付ける。
この後に、図８に示すように外枠２を内枠１に向けて移動して、外枠連結金具４０の係合部４２を内枠連結金具３０の被係合部３２に係合して外枠２を内枠１に連結する。
最後に、図９に示すように室外側シール材８を設ける。
【００２５】
前記内枠連結金具３０を、面材押え５０を備えたものとすると共に、その面材押え５０に被係合部３２を設けても良い。
また、窓枠３は丸に限ることはなく、図１０に示すように矩形状でも良いし、図１１に示すように三角形状でも良い。
【図面の簡単な説明】
【００２６】
【図１】本発明の実施の形態を示す外観図である。
【図２】図１のＡ−Ａ拡大断面図である。
【図３】図１のＢ−Ｂ拡大断面図である。
【図４】図３のＣ−Ｃ断面図である。
【図５】連結手段の分解斜視図である。
【図６】窓の組立動作説明図である。
【図７】窓の組立動作説明図である。
【図８】窓の組立動作説明図である。
【図９】窓の組立動作説明図である。
【図１０】本発明の第２の実施の形態を示す外観図である。
【図１１】本発明の第３の実施の形態を示す外観図である。
【符号の説明】
【００２７】
１…内枠、１ａ…内周面、２…外枠、３…窓枠、４…連結手段、５…面材嵌入溝、６…面材、３０…内枠連結金具、３１…取付部、３２…被係合部、３３…ビス、３４…支持突片（支持部）、４０…外枠連結金具、４１…取付部、４２…係合部、４３…ビス、５０…面材押え、５１…ビス、５２…スペーサ、５３…緩衝材。
【図１】
2008248492.tif 000003
【図２】
2008248492.tif 000004
【図３】
2008248492.tif 000005
【図４】
2008248492.tif 000006
【図５】
2008248492.tif 000007
【図６】
2008248492.tif 000008
【図７】
2008248492.tif 000009
【図８】
2008248492.tif 000010
【図９】
2008248492.tif 000011
【図１０】
2008248492.tif 000012
【図１１】
2008248492.tif 000013